(57)【要約】【課題】ティッシュペーパの取り出し口を複数備えることにより、種々の使用状態に対応できるようにする。【解決手段】ティッシュペーパホルダ２０は、本体２１と蓋体２２とからなる。本体２１は、上面を全面が開放した開口部２１Ｅとする円筒形状を呈し、周面を３箇所に本体２１の長手方向に略平行な３面のそれぞれで切断した第１の載置部２１Ａ〜２１Ｃが形成されている。載置部２１Ａには、第１の取り出し口２３が形成されている。蓋体２２は、開口部１１Ｅを開閉自在にして本体２１１の上面に着脱自在に装着され、第２の取り出し口２４を備えている。本体２１を設置面に立てた状態及び寝かせた状態の何れにおいても第１の取り出し口２３又は第２の取り出し口２４の何れかを選択して本体２１内に収容されたティッシュペーパを取り出すことができる。【選択図】図２
2015117046.tif 000002
【特許請求の範囲】
【請求項１】
長方形形状に折り畳まれた複数枚のティッシュペーパを可撓性の包装体に袋詰めしたソフトパックティッシュペーパを収容するティッシュペーパホルダであって、
本体及び蓋体からなる筐体構造を呈し、
前記本体は、前記ソフトパックティッシュペーパが出し入れされる開口部を有し、
前記蓋体は、前記開口部を開閉自在にして前記本体に着脱自在に装着され、
表面に、前記ソフトパックティッシュペーパの長手方向に平行な面を切断面とする第１の載置部と、前記長手方向に直交する面を切断面とする第２の載置部と、内部に収容した前記ティッシュペーパの表面に対向する第１の取り出し口と、内部に収容した前記ソフトパックティッシュペーパ内のティッシュペーパの短辺に対向する第２の取り出し口と、を備えるティッシュペーパホルダ。
【請求項２】
前記本体は、前記第１の載置部を複数備え、複数の前記第１の載置部のうち少なくとも１つ以外の部分に前記第１の取り出し口を配置した請求項１に記載のティッシュペーパホルダ。
【請求項３】
前記第２の載置部に粘着性のシート状ゲルを貼着した請求項１又は２に記載のティッシュペーパホルダ。
【請求項４】
前記第１の取り出し口又は前記第２の取り出し口を選択的に閉鎖するカバーを備えた請求項１乃至３の何れかに記載のティッシュペーパホルダ。
【発明の詳細な説明】
【技術分野】
【０００１】
本発明は、可撓性の包装体に袋詰めされた所謂ソフトパックティッシュペーパの収容に適したティッシュペーパホルダに関する。
【背景技術】
【０００２】
紙箱に包装されたボックスタイプのティッシュペーパは、箱詰め作業上の要請から収納する複数枚のティッシュペーパの容積に比較して大きな紙箱が必要となり、複数組で販売する際には陳列等に大きなスペースを必要とし、購入後の運搬も煩雑となる。また、紙箱は使用後に廃棄されるため紙資源の浪費となる。
【０００３】
そこで、フィルム等の可撓性の包装体に袋詰めされたソフトパックティッシュペーパが商品化されている。収納する複数枚のティッシュペーパの容積に等しい大きさで包装されるため、運搬が容易で収納や陳列のスペースを小さくできる。
【０００４】
ところが、ソフトパックティッシュペーパは、可撓性の包装体に袋詰めされているため、ティッシュペーパの収納枚数が減少するにつれて変形し易くなり、ティッシュペーパの取り出しが困難になる。
【０００５】
このため、ソフトパックティッシュペーパを収容するティッシュペーパホルダが提案されている（例えば、特許文献１参照。）。ティッシュペーパホルダは、ティッシュペーパの収納量に関わらず一定の形状を維持するため、ティッシュペーパを最後まで容易に取り出すことができる。
【先行技術文献】
【特許文献】
【０００６】
【特許文献１】実登３１６４２４５号公報
【発明の概要】
【発明が解決しようとする課題】
【０００７】
しかし、従来のティッシュペーパホルダでは、ティッシュペーパの取り出し口を１つしか備えておらず、種々の使用状態に対応できない問題があった。
【０００８】
この発明の目的は、ティッシュペーパの取り出し口を複数備えることにより、種々の使用状態に対応できるティッシュペーパホルダを提供することにある。
【課題を解決するための手段】
【０００９】
本発明のティッシュペーパホルダは、ソフトパックティッシュペーパを収容するティッシュペーパホルダであって、本体及び蓋体からなる筐体構造を呈し、第１の載置部、第２の載置部、第１の取り出し口、第２の取り出し口を備えている。
【００１０】
本体は、ティッシュペーパが出し入れされる開口部を有し、蓋体は、開口部を開閉自在にして本体に着脱自在に装着される。第１の載置部は、ティッシュペーパの長手方向に平行な平面を切断面とする。第２の載置部は、長手方向に直交する平面を切断面とする。第１の取り出し口は、第１の載置部以外の部分に形成されており、内部に収容したティッシュペーパの表面に対向する。第２の取り出し口は、第２の載置部以外の部分に形成されており、内部に収容したティッシュペーパの短辺に対向する。
【００１１】
第１の載置部及び第２の載置部は、ともに平面を切断面として構成されており、机面等の設置面に当接する。第１の載置部又は第２の載置部を設置面に当接させた状態で、第１の取り出し口及び第２の取り出し口がともに露出する。ソフトパックティッシュペーパは、包装体が可撓性を有するため、ティッシュペーパの表面に対向した包装体の取り出し孔方向だけでなく、これに直交する方向からもティッシュペーパを取り出すことができる。第１の載置部又は第２の載置部の何れを設置面に当接させた状態でも、本体内に収容されたソフトパックティッシュペーパを、第１の取り出し口又は第２の取り出し口の何れからも取り出すことができる。
【００１２】
本体に第１の載置部を複数設け、そのうちの１つに第１の取り出し口を配置することで、ティッシュペーパの取り出しを第２の取り出し口から行う場合の設置面に対する本体の載置状態のバリエーションを増やすことができる。
【００１３】
第２の載置部に粘着性のシート状ゲルを貼着することで、第２の載置部を設置面に接触させて使用する場合の安定性を高めることができる。
【００１４】
第１の取り出し口又は第２の取り出し口を選択的に閉鎖するカバーを備え、ティッシュペーパの取り出しを第２の取り出し口又は第１の取り出し口から行う際に、本体の美観を向上するようにしてもよい。
【発明の効果】
【００１５】
本発明によれば、ティッシュペーパの取り出し口を複数備えることにより、種々の使用状態に対応できる。
【図面の簡単な説明】
【００１６】
【図１】この発明の第１の実施形態に係るティッシュペーパホルダの外観図である。
【図２】この発明の第２の実施形態に係るティッシュペーパホルダの外観図である。
【図３】同第２の実施形態に係るティッシュペーパホルダの平面図である。
【図４】同第２の実施形態に係るティッシュペーパホルダの断面図である。
【図５】（Ａ）及び（Ｂ）は、同第２の実施形態に係るティッシュペーパホルダの第２の載置部を設置面に接触させた使用状態を説明する図である。
【図６】（Ａ）及び（Ｂ）は、同第２の実施形態に係るティッシュペーパホルダの第１の載置部を設置面に接触させた使用状態を説明する図である。
【発明を実施するための形態】
【００１７】
以下に、この発明の実施形態に係るティッシュペーパホルダを、図面を参照しつつ説明する。
【００１８】
図１に示すように、この発明の最も基本的な実施形態である第１の実施形態に係るティッシュペーパホルダ１０は、一例として樹脂を素材として成形された本体１１と蓋体１２とからなる。本体１１は、上面を全面が開放した開口部１１Ｅとする中空直方体形状を呈しており、一方の側面に本体１１の長手方向に沿う第１の取り出し口１３を備えている。蓋体１２は、開口部１１Ｅを開閉自在にして本体１１の上面に着脱自在に装着され、第２の取り出し口１４を備えている。蓋体１２は、開口部１１Ｅの縁部に弾性的に係合する図示しない係合片を備えている。係合片が開口部１１Ｅの縁部に係合することで、本体１１に対する蓋体１２の装着状態が維持される。
【００１９】
本体１１において、４つの側面１１Ａ〜１１Ｄがこの発明の第１の載置部に相当し、底面１１Ｆが蓋体１２とともにこの発明の第２の載置部に相当する。
【００２０】
蓋体１２を本体１１の上面から取り外し、開口部１１Ｅを開放した状態で、ソフトパックティッシュペーパ１００を包装体の取り出し孔１０１が取り出し口１３に対向するようにして、本体１１の内部に挿入した後、蓋体１２を本体１１の上面に装着して開口部１１Ｅを閉鎖する。
【００２１】
第２の載置部である底面１１Ｆが机面等の設置面に当接する状態では、取り出し口１３及び１４が外部に露出し、本体１１が収容するソフトパックティッシュペーパ１００内のティッシュペーパを、取り出し口１３又は取り出し口１４から１枚ずつ取り出すことができる。
【００２２】
なお、ソフトパックティッシュペーパ１００内のティッシュペーパを取り出し口１４から取り出す場合には、予め取り出し孔１０１から内部のティッシュペーパを上向きに引き出した状態で、ソフトパックティッシュペーパ１００を本体１１の内部に挿入しておく。ソフトパックティッシュペーパ１００は包装体が可撓性を有するために比較的容易に変形し、本体１１内に収容された状態でティッシュペーパの短辺が対向する取り出し口１４からティッシュペーパを取り出すことができる。
【００２３】
本体１１における４つの側面１１Ａ〜１１Ｄのうち、取り出し口１３が形成された側面１１Ａ以外の側面１１Ｂ〜１１Ｄが第１の載置部として設置面に当接する状態でも、取り出し口１３及び１４が外部に露出し、本体１１が収容するソフトパックティッシュペーパ１００内のティッシュペーパを取り出し口１３又は取り出し口１４から１枚ずつ取り出すことができる。
【００２４】
したがって、本体１１を設置面に立てた状態と寝かせた状態との何れにおいても、取り出し口１３又は取り出し口１４からティッシュペーパを取り出すことができ、ティッシュペーパホルダ１０を４種類の何れかの態様で使用することができる。
【００２５】
なお、ティッシュペーパホルダ１０を寝かせた状態で、取り出し口１４からティッシュペーパを取り出す場合には、取り出し口本体１１の側面１１Ａを設置面に当接させてもよい。ティッシュペーパホルダ１０を立てた状態で、取り出し口１３からティッシュペーパを取り出す場合には、蓋体１２を設置面に当接させてもよい。
【００２６】
また、本体１１の上面を取り出し口１４が形成された閉鎖面とするとともに側面１１Ａ〜１１Ｄの何れかを開口部とし、蓋体１２が側面１１Ａ〜１１Ｄの何れかの開口部を開閉するものとしてもよい。さらに、底面１１Ｆに粘着性を有するシート状のゲルを貼着することで、ティッシュペーパホルダ１０を設置面に立てて使用する場合の安定性を向上させることができる。側面１１Ｃ〜１１Ｄの何れかに粘着性を有するシート状のゲルを貼着することで、ティッシュペーパホルダ１０を設置面に寝かせて使用する場合にも、取り出し口１３又は１４からティッシュペーパを引き出す際のティッシュペーパホルダ１０の移動を防止できる。
【００２７】
図２及び図３に示すように、この発明の第２の実施形態に係るティッシュペーパホルダ２０は、一例として樹脂を素材として成形された本体２１及び蓋体２２とからなる。本体２１は、上面と底面との外径が異なる円筒形状の周面の３箇所を長手方向に略平行な３つのそれぞれの平面で切断し、内側に凸となる円弧面とした形状の第１の載置部２１Ａ〜２１Ｃを備えている。第１の載置部２１Ａ〜２１Ｃは、平面で形成することもできる。載置部２１Ａには、第１の取り出し口２３が形成されている。本体２１は、上面が全面を開放した開口部２１Ｅとされており、底面が第２の載置部２１Ｆにされている。
【００２８】
図４に示すように、蓋体２２は、開口部２１Ｅを開閉自在にして本体２１の上面に着脱自在に装着され、第２の取り出し口２４を備えている。蓋体２２は、本体２１の開口部２１Ｅの縁部に形成された凹部２５に弾性的に係合する係合片２６を備えている。係合片２６が凹部２５に係合することで、本体２１に対する蓋体２２の装着状態が維持される。
【００２９】
本体２１の底面に構成された載置部２１Ｆには、全周にわたってリブ２７が下方に突出して形成されており、リブ２７の内側に粘着性を有するシート状のゲル２８が貼着されている。また、取り出し口２３は、カバー２９によって閉鎖されている。カバー２９は、取り出し口２３に着脱自在に装着されており、爪３０を取り出し口２３の縁部に弾性的に係合させることにより、取り出し口２３に対する装着状態を維持する。
【００３０】
蓋体２２を本体２１の上面から取り外し、開口部２１Ｅを開放した状態で、図１に示すソフトパックティッシュペーパ１００を包装体の取り出し孔１０１が取り出し口２３に対向するようにして、本体２１の内部に挿入した後、蓋体２２を本体２１の上面に装着して開口部２１Ｅを閉鎖する。
【００３１】
図５（Ａ）及び（Ｂ）に示すように、載置部２１Ｆが机面等の設置面に当接する状態では、取り出し口２３及び２４が外部に露出し、本体２１が収容するソフトパックティッシュペーパ１００内のティッシュペーパを、取り出し口２３又は取り出し口２４から１枚ずつ取り出すことができる。
【００３２】
なお、ソフトパックティッシュペーパ１００内のティッシュペーパを取り出し口２４から取り出す場合には、予め取り出し孔１０１から内部のティッシュペーパを上向きに引き出した状態で、ソフトパックティッシュペーパ１００を本体２１の内部に挿入しておく。
【００３３】
載置部２１Ｆを設置面に当接させると、ゲル２８が設置面に密着し、ティッシュペーパホルダ２０を安定した状態で使用することができる。ただし、本体２１が十分に安定した状態で載置部２１Ｆを設置面に当接させて設置できる形状であることを条件に、ゲル２８を省略してもよい。
【００３４】
図６（Ａ）及び（Ｂ）に示すように、載置部２１Ａ〜２１Ｃのうち、取り出し口２３が形成された載置部２１Ａ以外の載置部２１Ｂ，２１Ｃが設置面に当接する状態でも、取り出し口２３及び２４が外部に露出し、本体２１が収容するソフトパックティッシュペーパ１００内のティッシュペーパを取り出し口２３又は取り出し口２４から１枚ずつ取り出すことができる。
【００３５】
載置部２１Ｃ〜２１Ｄの何れかに粘着性を有するシート状のゲルを貼着することで、ティッシュペーパホルダ２０を設置面に寝かせて使用する場合にも、取り出し口２３又は２４からティッシュペーパを引き出す際のティッシュペーパホルダ２０の移動を防止できる。この場合に、カバー２９が表裏面を反転して取り出し口２３に装着できるように構成し、カバー２９の裏面に粘着性を有するシート状のゲルを貼着することもできる。
【００３６】
したがって、本体２１を設置面に立てた状態と寝かせた状態との何れにおいても、取り出し口２３又は取り出し口２４からティッシュペーパを取り出すことができ、ティッシュペーパホルダ２０を４種類の何れかの態様で使用することができる。
【００３７】
図５（Ｂ）又は図６（Ａ）に示すように、取り出し口２４からティッシュペーパを取り出す場合には、取り出し口２３をカバー２９によって閉鎖しておくことで、ティッシュペーパホルダ２０の美観を向上させることができる。
【００３８】
なお、ティッシュペーパホルダ２０では、本体２１の上面に開口部２１Ｅを形成し、この開口部２１Ｅに蓋体２２を着脱自在とするように構成しているが、開口部の位置は本体２１の上面に限るものではない。
【００３９】
また、第１の取り出し口２３は、本体２１の周面における載置部２１Ａを含む単一又は複数の位置に形成することもできる。さらに、第２の取り出し口２４にもカバーを着脱自在に備えることもできる。
【００４０】
さらに、上述の実施形態では、ソフトパックティッシュペーパを収容する場合について説明したが、複数枚のティッシュペーパを紙箱に収納したボックスティッシュペーパであっても、紙箱から取り出した複数枚のティッシュペーパを収容する場合にも、この発明のティッシュペーパホルダを同様に使用することができる。
【００４１】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４２】
１０，２０−ティッシュペーパホルダ
１１，２１−本体
１２，２２−蓋体
１１Ａ〜１１Ｄ−側面（第１の載置部）
１１Ｅ−上面（開口部）
１１Ｆ−底面（第２の載置部）
２１Ａ〜２１Ｃ−第１の載置部
２１Ｅ−開口部
２１Ｆ−第２の載置部
１３，２３−第１の取り出し口
１４，２４−第２の取り出し口
【図１】
2015117046.tif 000003
【図２】
2015117046.tif 000004
【図３】
2015117046.tif 000005
【図４】
2015117046.tif 000006
【図５】
2015117046.tif 000007
【図６】
2015117046.tif 000008